(57)【特許請求の範囲】
【請求項１】
種子紐を、土壌に埋設する種子紐播種装置において、
土壌方向に付勢され、前記装置の移動にしたがって土壌表面に沿って従動回転させられる植え込み主ローラと、
前記主ローラ表面に圧接され前記主ローラに従動回転し、種子紐を前記植え込み主ローラ表面に圧接する押さえローラとを設け、
前記種子紐播種装置の移動にしたがって前記植え込み主ローラ表面の移動量に対応する長さの種子紐が前記植え込み主ローラにより土壌に押しつけられて供給されるように構成したことを特徴とする種子紐播種装置。
【発明の詳細な説明】
【０００１】
【発明の属する技術分野】
本発明は、種子紐により畑などに野菜などの播種を行う種子紐播種装置に関する。
【０００２】
【従来の技術】
テープに一定間隔で野菜の種子等を保持した種子テープや、不織布などの紙テープに種子を巻き込みさらに糸で絡めたもの（以下本願において種子紐と総称する）を用いて畑等に播種を行う作業が広く行われている。
従来の種子紐の敷設は先ず種子紐の先端を針金等で畝端に固定して種子紐供給ドラムを搭載した播種装置を人力またはトラックタを移動させながら、種子紐を前記装置のドラムに沿わして土壌表面に押しつけながら順次覆土していく方法が一般的である。前記形式の装置を用いる種子紐埋設過程において、前記種子紐の先端の固定端と敷設端間に張力が断続的に発生することがあり埋設された土壌中で種子紐が土壌内で移動させられて土壌中に空間が形成されることがあり、これが発芽条件を損なう。極端な場合、畑が平坦でないときには種子紐が覆土の上に現れることがある。
【０００３】
【発明が解決しようとする課題】
本発明の目的は前記種子紐の繰り出し量を埋設すべき量と同一とし、種子紐に不本意な張力がかからないようにした種子紐播種装置を提供することにある。
【０００４】
【課題を解決するための手段】
前記目的を達成するための本発明による種子播種装置を実施例に対応させて説明すると次のとおりである。
すなわち、本発明による種子紐播種装置は、種子紐１を、土壌１０に埋設する種子紐播種装置において、
土壌方向に付勢され、前記装置の移動にしたがって土壌表面に沿って従動回転させられる植え込み主ローラ５と、
前記主ローラ５表面に圧接され前記主ローラ５に従動回転し、種子紐１を前記植え込み主ローラ５表面に圧接する押さえローラ３とを設け、
前記種子紐播種装置の移動にしたがって前記植え込み主ローラ５表面の移動量に対応する長さの種子紐１が前記植え込み主ローラ５により土壌１０に押しつけられて供給されるように構成されている。
前記押さえローラ３の表面は弾性部材であり、植え込み主ローラ５の表面に従動回転するように圧接するように構成することができる。
前記植え込み主ローラ５は播種の際に土壌表面にばねによって押しつけられるように構成することができる。
【０００５】
【発明の実施の形態】
以下図面等を参照して本発明をさらに詳しく説明する。図１は、本発明による種子紐播種装置の実施例を示す略図的側面図であって一部を破断して示してある。図２は図１に示した種子紐播種装置を図１中Ａ−Ａに示す方向から見た植え込み主ローラと種子紐の関係を示した略図である。図３に土壌中に埋設された種子紐の部分を示している。図４は本発明による種子紐播種装置の実施例の平面図、図５は前記播種装置の実施例の側面図である。主フレーム１１は主軸９と押さえローラレバー１３が連結軸８により枢着されている。主軸９は図示しないトラックタなどにより矢印Ｂの示す方向に移動させられる。主軸９と主フレーム１１間にはばね１９が掛け渡されており、押さえローラレバー１３と主フレーム１１間にはばね１８が掛け渡されている。主フレーム１１に固定された軸２２に植え込み主ローラ５が回転可能に設けられている。植え込み主ローラ５には、一対のフランジ７，７が設けられている。フランジ７，７にはハブ２１，２１が一体に設けられている。
押さえローラレバー１３の他端側には表面が弾性材料よりなる押さえローラ３が回転可能に設けられている。さらに押さえローラレバー１３の先端には、針金を加工した案内リング１５が設けられている。主軸９には図４，図５に示されているように鋤１７が設けられている。主軸９がトラックタなどで矢印Ｂの示す方向に牽引されると鋤１７の先端により土壌１０に種子紐１が埋設されるべく畝溝１０ａが形成される。鋤１７の形状については図４，図５を参照されたい。主フレーム１１の後端には泥落とし２０が設けられており、植え込み主ローラ５の表面に付着した土を落とす。
【０００６】
種子紐１は図示しないリールに巻き回されており、図１中上方向から案内リング１５を介して植え込み主ローラ５の表面にもたらされる。この種子紐１は押さえ込みローラ３により主ローラ５の表面に押しつけられている。なお、主軸９と主フレーム１１間に掛け渡されたばね１９は主フレーム１１に図１および図５において反時計方向の回転力を与え、植え込み主ローラ５の軸２２を土壌１０方向に付勢する。これにより植え込み主ローラ５は土壌１０表面に押しつけられる。主軸９が図１矢印Ｂの方向に移動させられると前述したように畝溝１０ａが形成されるとともに種子紐１は植え込み主ローラ５により畝溝１０ａに押し込められ、図示されていない押さえローラで図３に示すように覆土される。図３に示すように種子紐１内には種子１ａが一定の間隔で巻き込まれている。主フレーム１１と押さえローラレバー１３間に掛け渡されたばね１８により押さえローラレバー１３は図１および図５において反時計方向に付勢され、押さえローラ３を植え込み主ローラ５の表面に圧着させる。案内リング１５を介して植え込み主ローラ５の表面に導かれた種子紐１は植え込み主ローラ５に、押さえローラ３により押しつけられる。
【０００７】
【発明の効果】
以上詳しく説明したように、本発明による種子紐播種装置は、種子紐リールから供給される種子紐を、播種方向に移動させられ土壌表面に沿って従動回転させられる植え込み主ローラに沿わせて、土壌に埋設する種子紐播種装置において、前記種子紐を、前記植え込み主ローラ表面に圧接され従動回転する押さえローラで、前記植え込み主ローラ表面に圧接して前記植え込み主ローラ表面の移動量に対応する長さの種子紐を供給するように構成されている。したがって種子紐は植え込み主ローラの回転量だけ土壌１０表面に押しつけられ埋設される。
今、なんらかの理由で土壌１０中に埋設された種子紐１が図１において左方向から引っ張られたとしても種子紐１は植え込み主ローラ５と押さえローラ３により挟み付けられているから種子紐１が引き出されることはない。換言すれば種子紐１は植え込み主ローラ５の回転量だけ正確に土壌１０に供給されることになる。前記種子紐の繰り出し量は埋設すべき量と同一であるから埋設された種子紐に張力が係らない。したがって、種子紐が土壌中で移動して種子紐の周りに空洞ができたり、土壌表面に浮き上がるなどの問題は完全に防止される。
【図面の簡単な説明】
【図１】本発明による種子紐播種装置の実施例を示す略図的側面図である。
【図２】図１に示した種子紐播種装置を図１中Ａ−Ａに示す方向から見た植え込み主ローラと種子紐の関係を示した略図である。
【図３】土壌中に埋設された種子紐を示す略図である。
【図４】本発明による種子紐播種装置の実施例の平面図である。
【図５】本発明による種子紐播種装置の実施例の側面図である。
【符号の説明】
１  種子紐（シードテープ）
１ａ  種子
３  押さえローラ
５  植え込み主ローラ
７  フランジ
８  連結軸
９  主軸
１０  土壌（畑）
１１  主フレーム
１３  押さえローラレバー
１５  案内リング
１７  鋤
１８，１９  ばね
２０  泥おとし
２１  ハブ
２２  軸
【図１】
0003719771.tif 000002
【図２】
0003719771.tif 000003
【図３】
0003719771.tif 000004
【図４】
0003719771.tif 000005
【図５】
0003719771.tif 000006